(57)【要約】  サーチ対象の周波数帯域のチューニング周波数が順次設定されて電波を受信するメインチューナ３ａと、メインチューナ３ａに設定されたチューニング周波数を、中心周波数と当該中心周波数に関して対称に隣接する周波数帯との周波数差Δｆだけオフセットしたチューニング周波数が順次設定されて電波を受信するサブチューナ３ｂと、チューナ３ａ，３ｂにより受信された各電波の電界強度レベル差が所定の値であるか否かを判定する電波状況判定部１１と、電波状況判定部１１による判定結果に基づいて、チューナ３ａ，３ｂにより受信された電波の周波数から、放送局の周波数を判別するサーチ制御部１５とを備える。
2013118163.tif 000002
【特許請求の範囲】
【請求項１】
放送周波数帯域の中心周波数に関して周波数スペクトラムが対称であり、前記中心周波数の電界強度レベルと当該中心周波数に関して対称に隣接する周波数帯の電界強度レベルとの差が所定の値となる放送の放送局サーチを行う放送受信機において、
サーチ対象の周波数帯域のチューニング周波数が順次設定されて電波を受信する第１のチューナと、
前記第１のチューナに設定されたチューニング周波数を、前記中心周波数と当該中心周波数に関して対称に隣接する前記周波数帯との周波数差だけオフセットしたチューニング周波数が順次設定されて電波を受信する第２のチューナと、
前記第１および前記第２のチューナにより受信された各電波の電界強度レベル差が前記所定の値であるか否かを判定する電波状況判定部と、
前記電波状況判定部による判定結果に基づいて、前記第１および前記第２のチューナにより受信された電波の周波数から、前記放送局の周波数を判別するサーチ制御部とを備えることを特徴とする放送受信機。
【請求項２】
前記サーチ制御部は、前記サーチ対象の放送局の周波数を判別した後に、さらに新たな周波数を当該サーチ対象の放送局の周波数と判別すると、一方の周波数をチューニング周波数として前記第１のチューナに設定し、もう一方の周波数をチューニング周波数として前記第２のチューナに設定して、前記第１および前記第２のチューナにより双方の周波数の放送局データを受信させることを特徴とする請求項１記載の放送受信機。
【請求項３】
前記放送は、ＨＤ（Ｈｉｇｈ  Ｄｅｆｉｎｉｔｉｏｎ）ラジオ放送であることを特徴とする請求項１記載の放送受信機。
【請求項４】
放送周波数帯域の中心周波数に関して周波数スペクトラムが対称であり、前記中心周波数の電界強度レベルと当該中心周波数に関して対称に隣接する周波数帯の電界強度レベルとの差が所定の値となる放送波の放送局サーチ方法において、
サーチ対象の周波数帯域のチューニング周波数を第１のチューナに順次設定して電波を受信するステップと、
前記第１のチューナに設定されたチューニング周波数を、前記中心周波数と当該中心周波数に関して対称に隣接する前記周波数帯との周波数差だけオフセットしたチューニング周波数を第２のチューナに順次設定して電波を受信するステップと、
前記第１および前記第２のチューナにより受信された各電波の電界強度レベル差が前記所定の値であるか否かを判定するステップと、
前記判定結果に基づいて、前記第１および前記第２のチューナにより受信された電波の周波数から、前記放送局の周波数を判別するステップとを備えることを特徴とする放送局サーチ方法。
【発明の詳細な説明】
【技術分野】
【０００１】
この発明は、例えばＨＤ（Ｈｉｇｈ  Ｄｅｆｉｎｉｔｉｏｎ）ラジオ放送の放送受信機およびその放送局サーチ方法に関する。
【背景技術】
【０００２】
ＨＤラジオ放送のような、放送周波数帯域の中心周波数に関して周波数スペクトラムが対称な放送局の放送局サーチを行う場合に、チューナで受信された放送局データをデコードしてディジタル放送局を判定する処理に時間がかかるため、アナログ放送の場合と比べて放送局サーチに要する時間が長くなる。【０００３】
放送局サーチに要する時間を短縮するための従来の技術としては、例えば特許文献１に開示される放送受信機がある。この放送受信機では、ＨＤラジオ放送波のスペクトラムの対称性を利用して、チューニング周波数から特定の周波数オフセット範囲内に閾値以上の電界強度の受信信号があれば、チューニング周波数をＨＤラジオ放送局の周波数であるとみなして、当該周波数でＨＤラジオ放送が受信できればＨＤラジオ放送局と判定し、ＨＤラジオが受信できなければアナログ放送局と判定する。
【先行技術文献】
【特許文献】
【０００４】
【特許文献１】特開２００９−１４１４６８号公報
【発明の概要】
【発明が解決しようとする課題】
【０００５】
特許文献１に代表される従来の技術では、１つのチューナで放送局サーチを行うため、常にチューニング周波数＋２００ｋＨｚにリチューニングして、電界強度と周波数オフセットを確認する必要がある。また、周波数オフセットと電界強度の確認から、チューニング周波数に放送局があると判断された場合、リチューニングした周波数を再び元の周波数にチューニングし直す必要があり、リチューニングを行う分だけサーチ時間が長くなるという課題があった。【０００６】
この発明は、上記のような課題を解決するためになされたもので、放送周波数帯域の中心周波数に関して周波数スペクトラムが対称な放送局のサーチに要する時間を短縮することができる放送受信機および放送局サーチ方法を得ることを目的とする。
【課題を解決するための手段】
【０００７】
この発明に係る放送受信機は、放送周波数帯域の中心周波数に関して周波数スペクトラムが対称であり、中心周波数の電界強度レベルと当該中心周波数に関して対称に隣接する周波数帯の電界強度レベルとの差が所定の値となる放送の放送局サーチを行う放送受信機において、サーチ対象の周波数帯域のチューニング周波数が順次設定されて電波を受信する第１のチューナと、第１のチューナに設定されたチューニング周波数を、中心周波数と当該中心周波数に関して対称に隣接する周波数帯との周波数差だけオフセットしたチューニング周波数が順次設定されて電波を受信する第２のチューナと、第１および第２のチューナにより受信された各電波の電界強度レベル差が所定の値であるか否かを判定する電波状況判定部と、電波状況判定部による判定結果に基づいて、第１および第２のチューナにより受信された電波の周波数から、放送局の周波数を判別するサーチ制御部とを備える。
【発明の効果】
【０００８】
この発明によれば、放送周波数帯域の中心周波数に関して周波数スペクトラムが対称な放送局のサーチに要する時間を短縮することができるという効果がある。
【図面の簡単な説明】
【０００９】
【図１】この発明の実施の形態１に係るラジオ受信機の構成を示すブロック図である。
【図２】放送局サーチ結果の表示例を示す図である。
【図３】ＦＭハイブリッド放送およびＡＭハイブリッド放送の周波数スペクトラムを示す図である。
【図４】実施の形態１に係るラジオ受信機の動作を示すフローチャートである。
【図５】電波状況の周波数スペクトラムを示す図である。
【図６】各周波数の電波状況を示す表である。
【図７】実施の形態１に係るラジオ受信機による放送局サーチ結果の表示例を示す図である。
【図８】各周波数の判定結果を示す表である。
【図９】放送局サーチに要する時間の短縮効果を説明する図である。
【図１０】ＡＭハイブリッド放送の周波数スペクトラムを示す図である。
【図１１】この発明の実施の形態２に係るラジオ受信機の動作を示すフローチャートである。
【発明を実施するための形態】
【００１０】
以下、この発明をより詳細に説明するため、この発明を実施するための形態について、添付の図面に従って説明する。
実施の形態１．
図１は、この発明の実施の形態１に係るラジオ受信機の構成を示すブロック図であり、この発明に係る放送受信機を移動体（例えば車両）に搭載されるラジオ受信機に適用した場合を示している。図１に示すラジオ受信機１は、ＨＤラジオ放送のように、放送周波数帯域の中心周波数に関して周波数スペクトラムが対称であり、中心周波数の電界強度レベル（アナログ放送のキャリア周波数の電界強度レベル）と、当該中心周波数に関して対称に隣接する周波数帯の電界強度レベル（ディジタル放送の変調帯の電界強度レベル）との差が所定の値となる放送波の放送局サーチを行う。その構成として、図１に示すように、メインアンテナ２ａ、サブアンテナ２ｂ、メインチューナ３ａ、サブチューナ３ｂ、電波状況検出部４、デコーダ部５、操作部６、演算制御部７、表示部８および外部記憶装置９を備える。
【００１１】
メインチューナ３ａは、メインアンテナ２ａを介してチューニング周波数の電波を受信するチューナであり、サブチューナ３ｂは、サブアンテナ２ｂを介してチューニング周波数の電波を受信するチューナ部である。電波状況検出部４は、メインチューナ３ａおよびサブチューナ３ｂの各チューニング周波数の電波状況を示すディテクタ値を検出する。デコーダ部５は、メインチューナ３ａおよびサブチューナ３ｂにより受信されたディジタルデータをデコードする。
【００１２】
操作部６は、ユーザからの操作を受け付ける操作部であり、キーボードやボタンなどのハードウェアに加え、タッチパネルで入力を行う表示部８の画面上に表示したソフトウェアキーやボタンであってもよい。例えば、ユーザは、表示部８に表示された放送局リストを参照して、聴取したい番組の放送局を選別し、操作部６を用いて放送局を指定する。
【００１３】
演算制御部７は、選局や放送局サーチ、表示処理などの演算処理を実施する制御部である。表示部８は、液晶ディスプレイやプラズマディスプレイ、有機ＥＬディスプレイなどの表示装置である。外部記憶装置９は、電波状況を示す各ディテクタ値および放送局リストを記憶する記憶装置である。
【００１４】
また、演算制御部７は、機能ブロックとして、メインチューナ受信周波数設定部１０、電波状況判定部１１、サブチューナ受信周波数設定部１２、データ受信制御部１３、放送局リスト作成部１４、サーチ制御部１５および表示制御部１６を備える。
メインチューナ受信周波数設定部１０は、メインチューナ３ａに受信周波数を設定する周波数設定部である。
【００１５】
電波状況判定部１１は、電波状況検出部４により検出されたメインチューナ３ａおよびサブチューナ３ｂの各チューニング周波数の電波状況を示す各ディテクタ値に基づいて、各チューニング周波数の電波状況を判定する。サブチューナ受信周波数設定部１２は、サブチューナ３ｂに受信周波数を設定する。データ受信制御部１３は、サーチ制御部１５から発行された命令に基づいて、デコーダ部５によるデコード動作を制御する。
【００１６】
放送局リスト作成部１４は、デコーダ部５およびデータ受信制御部１３から入力したデータに基づいて、現在位置で受信可能な放送局の放送局リストを作成する。なお、放送局リストには、現在位置で受信可能な放送局がリストアップされており、各放送局の情報として、放送局名、受信周波数、サーチ時点における受信周波数の電界強度（電界強度レベル）などが登録される。また、放送局リスト作成部１４は、作成した放送局リストを外部記憶装置９に記憶する。
【００１７】
サーチ制御部１５は、操作部６により受け付けた指示命令に従って、メインチューナ受信周波数設定部１０、サブチューナ受信周波数設定部１２、データ受信制御部１３および放送局リスト作成部１４による各動作を制御するとともに、外部記憶装置９に記憶された電波状況を示すディテクタ値の読み出しを行う制御部である。
表示制御部１６は、表示部８による表示動作を制御する表示制御部である。例えば、外部記憶装置９に記憶された放送局リストを読み出し、表示部８に表示させる。
【００１８】
ＨＤラジオが放送されている米国でＦＭラジオ放送局サーチを行うと、例えば、図２に示すように、表示画面上に周波数と放送局名が表示され、ユーザは、画面上に表示された周波数および放送局名を選択することにより、希望する放送を聴取できる。
放送局サーチ結果として、周波数が表示されている場合には、この周波数の放送局は、アナログ放送であり、放送局名が表示されている場合は、その放送局は、ＨＤラジオ放送である。図２に示す例では、リスト番号１〜４までの放送局がＨＤラジオ放送局であり、リスト番号５，６は、アナログ放送局である。
【００１９】
ＨＤラジオ放送の放送局名は、ＳＩＳ（Ｓｔａｔｉｏｎ  Ｉｎｆｏｒｍａｔｉｏｎ  Ｓｅｒｖｉｃｅ）と呼ばれており、ＳＩＳデータは、放送波から抽出したディジタルデータをデコードして取得される。しかしながら、このデコードを完了するまでの時間が長く、放送局サーチに要する時間を長時間化してしまうという課題がある。
【００２０】
図３は、ＦＭハイブリッド放送およびＡＭハイブリッド放送の各周波数スペクトラムを示す図であり、図３（ａ）はＦＭハイブリッド放送の周波数スペクトラムであり、図３（ｂ）はＡＭハイブリッド放送の周波数スペクトラムである。ＦＭハイブリッド放送およびＡＭハイブリッド放送とは、アナログ放送と同時にディジタル信号を伝送するＨＤラジオ放送形式の１つである。
【００２１】
ＦＭハイブリッド放送およびＡＭハイブリッド放送は、図３（ａ）および図３（ｂ）に示すように、周波数帯域の中心に位置するアナログ放送のキャリア周波数と、周波数軸に関して隣接しているディジタル周波数帯が対称という特徴を持っている。
本発明では、図３に示すような対称な周波数スペクトラムを持つ放送局のサーチに関して、同時に２つのチューナを用い、かつそれぞれのチューナを常に特定周波数だけ離れた周波数にチューニングすることによって、放送局サーチ（ＳＩＳデータ取得）時間を短縮することを特徴としている。
【００２２】
次に動作について説明する。
図４は、実施の形態１に係るラジオ受信機の動作を示すフローチャートであり、図４に沿って実施の形態１に係る放送局サーチの詳細を説明する。なお、以降では、図３（ａ）に示したＦＭハイブリッド放送を例に挙げる。
まず、操作部６が、ユーザから放送局サーチを行う指示を受け付けると、サーチ制御部１５に対してメインチューナ３ａおよびサブチューナ３ｂの各チューニング周波数を設定させる命令を発行する。サーチ制御部１５は、操作部６からの命令に従い、メインチューナ受信周波数設定部１０に対してメインチューナ３ａのチューニング周波数を設定させ、サブチューナ受信周波数設定部１２に対してサブチューナ３ｂのチューニング周波数を設定させる指示を行う。
【００２３】
メインチューナ受信周波数設定部１０は、サーチ制御部１５からの指示に従い、メインチューナ３ａのチューニング周波数ｆｍ（ｎ）を設定する。また、サブチューナ受信周波数設定部１２も、サーチ制御部１５からの指示に従い、サブチューナ３ｂのチューニング周波数ｆｓ（ｎ）を設定する（ステップＳＴ１）。このとき、メインチューナ３ａのチューニング周波数ｆｍ（ｎ）とサブチューナ３ｂのチューニング周波数ｆｓ（ｎ）が、常に下記式（１）に示す関係を保つようにチューニング動作を行う。
ただし、チューニングの実行順ｎは、ｎ＝１，２，３，・・・であり、ｎ番目のチューニングを意味している。Δｆは、所定のオフセット周波数である。
ｆｍ（ｎ）＝ｆｓ（ｎ）−Δｆ      ・・・（１）
【００２４】
上記式（１）では、サブチューナ３ｂのチューニング周波数ｆｓ（ｎ）が、メインチューナ３ａのチューニング周波数ｆｍ（ｎ）よりも大きい場合を示しているが、逆の場合であっても本発明は成立する。オフセット周波数Δｆはサーチ対象となる放送規格によって適当な値を選択する。今回の例では、Δｆ＝２００ｋＨｚとする。
なお、ここでは、メインチューナ３ａとサブチューナ３ｂの電波入力段から検波段までのゲインが同じであることを前提として説明するが、仮に両チューナ３ａ，３ｂの電波入力段から検波段までのゲインが異なる場合であっても、ゲインを補正する係数などを導入することで、本発明は適用可能である。
【００２５】
次に、電波状況検出部４が、メインチューナ３ａおよびサブチューナ３ｂによってそれぞれチューニングし、受信された各周波数ｆｍ（ｎ），ｆｓ（ｎ）の電波における、電界強度、ノイズ値（マルチパス、ＵＳＮ（超音波ノイズ））、といったラジオ受信品質に関わる各ディテクタ値を取得して、各ディテクタ値を電波状況の検出結果として外部記憶装置９に保存する（ステップＳＴ２）。
なお、電波状況検出部４は、メインチューナ３ａおよびサブチューナ３ｂでチューニングが行われる度に、各チューナ３ａ，３ｂで受信されたチューニング周波数での電波状況を示す各ディテクタ値を検出し、チューニングの実行順ｎに対応付けて外部記憶装置９に逐次保存する。
【００２６】
続いて、電波状況判定部１１が、ステップＳＴ２で電波状況検出部４により取得された電波状況を示す各ディテクタ値を外部記憶装置９から読み出し、各ディテクタ値の値に基づいて、メインチューナ３ａのチューニング周波数ｆｍ（ｎ）が受信可能な放送局であるか否かを判定する（ステップＳＴ３）。なお、電波状況判定部１１が、外部記憶装置９に保存されているディテクタ値を読み出す場合を示したが、電波状況検出部４によりリアルタイムに検出された上記ディテクタ値を逐次入力して上記判定を行うようにしてもよい。
【００２７】
電波状況判定部１１が、電界強度が低い、ノイズ値が高いなど、各ディテクタ値の値により特定される電波状況から受信不可能な放送局であると判定すると（ステップＳＴ３；ＮＯ）、その旨をサーチ制御部１５へ通知する。
サーチ制御部１５は、電波状況判定部１１から上記通知を受けると、周波数ｆｍ（ｎ）は“放送局なし”と判断し、その旨を放送局リスト作成部１４へ通知する。放送局リスト作成部１４は、周波数ｆｍ（ｎ）が“放送局なし”であることを示す通知を受けると、周波数ｆｍ（ｎ）は放送局がないため、リストに表示する必要がないことを示す情報を外部記憶装置９に保存する（ステップＳＴ４）。
【００２８】
一方、電波状況判定部１１は、チューニング周波数ｆｍ（ｎ）が受信可能な放送局であると判定した場合（ステップＳＴ３；ＹＥＳ）、ステップＳＴ２で電波状況検出部４により取得された、サブチューナ３ｂのチューニング周波数ｆｓ（ｎ）の電波の受信電界強度Ｆｓ（ｆｓ（ｎ））と、メインチューナ周波数の電波の受信電界強度Ｆｍ（ｆｍ（ｎ））との差が−１０ｄＢであるか否かを判定する（ステップＳＴ５）。
周波数ｆｍ（ｎ）とｆｓ（ｎ）では、チューニング周波数が２００ｋＨｚ離れており、電界強度レベル差が−１０ｄＢである場合は、図３（ａ）に示したＨＤラジオ放送形式の１つであるＦＭハイブリッド放送の放送局の可能性があると判断できる。
なお、上記−１０ｄＢは、ＦＭハイブリッド放送におけるアナログ放送波とディジタル放送波の電界強度レベル差であって、上記判定結果に影響を与えない範囲でのマージンを設定してもよい。
今回は、ＦＭハイブリッド放送を例に挙げて、下記式（２）においてＸ＝−１０としたが、ＨＤラジオ放送以外の放送波で、本発明を適用する場合は、放送規格のスペクトラムに応じたＸの値を選択する。
Ｆｓ（ｆｓ（ｎ））−Ｆｍ（ｆｍ（ｎ））＝Ｘ      ・・・（２）
【００２９】
周波数ｆｍ（ｎ）とｆｓ（ｎ）の電波の電界強度レベル差が−１０ｄＢではない場合（ステップＳＴ５；ＮＯ）、電波状況判定部１１はその旨をサーチ制御部１５へ通知する。
サーチ制御部１５は、電界強度レベル差が１０ｄＢでないことを示す通知を受けると、周波数ｆｍ（ｎ）が、図３（ａ）に示したＨＤラジオ放送の放送局ではなく、アナログ放送局の周波数と判断して、その旨を放送局リスト作成部１４に通知する。
放送局リスト作成部１４は、周波数ｆｍ（ｎ）がアナログ放送局であることを示す通知を受けると、周波数ｆｍ（ｎ）をアナログ放送局として放送局リストに追加し、この放送局リストを外部記憶装置９に保存する（ステップＳＴ６）。
【００３０】
また、周波数ｆｍ（ｎ）とｆｓ（ｎ）の電波の電界強度レベル差が−１０ｄＢである場合（ステップＳＴ５；ＹＥＳ）、電波状況判定部１１はその旨をサーチ制御部１５に通知する。サーチ制御部１５は、電界強度レベル差が−１０ｄＢであることを示す通知を受けると、メインチューナ３ａおよびサブチューナ３ｂによる（ｎ−１）回目のチューニング周波数ｆｍ（ｎ−１），ｆｓ（ｎ−１）の電波状況を示す各ディテクタ値を外部記憶装置９から読み出し（ステップＳＴ７）、電波状況判定部１１へ出力する。
【００３１】
電波状況判定部１１は、サーチ制御部１５から上記電波状況を示す各ディテクタ値を入力すると、これらのディテクタ値の値を用いて、下記式（３）に従って、周波数ｆｓ（ｎ−１）の電波の電界強度Ｆｓ（ｆｓ（ｎ−１））と、周波数ｆｍ（ｎ−１）の電波の電界強度Ｆｍ（ｆｍ（ｎ−１））との差（−Ｘ）が１０ｄＢであるか否かを判定する（ステップＳＴ８）。なお、上記１０ｄＢは、ＦＭハイブリッド放送におけるアナログ放送波とディジタル放送波の電界強度レベル差であり、上記判定結果に影響を与えない範囲でのマージンを設定してもよい。
Ｆｓ（ｆｓ（ｎ−１））−Ｆｍ（ｆｍ（ｎ−１））＝−Ｘ      ・・・（３）
【００３２】
周波数ｆｓ（ｎ−１）とｆｍ（ｎ−１）の電波の電界強度レベル差が１０ｄＢではない場合（ステップＳＴ８；ＮＯ）、電波状況判定部１１は、その旨をサーチ制御部１５へ通知する。サーチ制御部１５は、電界強度レベル差が１０ｄＢでないことを示す通知を受けると、周波数ｆｍ（ｎ）をアナログ放送局の周波数と判断し、その旨を放送局リスト作成部１４に通知する。放送局リスト作成部１４は、周波数ｆｍ（ｎ）がアナログ放送局であることを示す通知に従い、ステップＳＴ６の処理に移行して、周波数ｆｍ（ｎ）をアナログ放送局として放送局リストに追加し、この放送局リストを外部記憶装置９に保存する。
【００３３】
また、周波数ｆｓ（ｎ−１）とｆｍ（ｎ−１）の電波の電界強度レベル差が１０ｄＢである場合（ステップＳＴ８；ＹＥＳ）、電波状況判定部１１は、その旨をサーチ制御部１５に対して通知する。サーチ制御部１５は、電波状況判定部１１からの上記通知により、周波数軸に対してスペクトラムが対称であるため、周波数ｆｍ（ｎ）が図３（ａ）に示すＨＤラジオ放送の放送局の可能性が極めて高い周波数と判別する。
上述のように判断すると、サーチ制御部１５は、データ受信制御部１３に対して周波数ｆｍ（ｎ）のＳＩＳデータを取得するよう指示する。
【００３４】
次に、データ受信制御部１３は、サーチ制御部１５からの上記指示に従って、デコーダ部５の動作を制御することで、メインチューナ３ａの周波数ｆｍ（ｎ）のＳＩＳデータを受信する（ステップＳＴ９ａ）。データ受信制御部１３は、周波数ｆｍ（ｎ）のＳＩＳデータを取得できたか否か、すなわち周波数ｆｍ（ｎ）のＳＩＳデータが受信可能か否かを判定する（ステップＳＴ１０）。
【００３５】
周波数ｆｍ（ｎ）のＳＩＳデータが受信できない場合（ステップＳＴ１０；ＮＯ）は、データ受信制御部１３が、周波数ｆｍ（ｎ）がアナログ放送局であると判断して、その旨を放送局リスト作成部１４に通知する。放送局リスト作成部１４は、周波数ｆｍ（ｎ）がアナログ放送局であることを示す通知に従い、ステップＳＴ６の処理に移行して、周波数ｆｍ（ｎ）をアナログ放送局として放送局リストに追加し、この放送局リストを外部記憶装置９に保存する。
【００３６】
周波数ｆｍ（ｎ）のＳＩＳデータが受信可能（ステップＳＴ１０；ＹＥＳ）、すなわち周波数ｆｍ（ｎ）のＳＩＳデータを取得した場合は、周波数ｆｍ（ｎ）がＨＤラジオ放送局であるため、デコーダ部５が、周波数ｆｍ（ｎ）と周波数ｆｍ（ｎ）がＨＤラジオ放送局であることを放送局リスト作成部１４に通知する。
放送局リスト作成部１４は、デコーダ部５から上記通知を受けると、周波数ｆｍ（ｎ）をＨＤラジオ放送局として放送局リストに追加し、この放送局リストを外部記憶装置９に保存する（ステップＳＴ１１）。
【００３７】
ステップＳＴ４、ステップＳＴ６、ステップＳＴ１１の処理を完了した時点で、サーチ制御部１５は、サーチ対象の周波数帯域の全周波数でスキャンが終了したか否かを判定する（ステップＳＴ１２）。ここで、全周波数でスキャンが終了していなければ（ステップＳＴ１２；ＮＯ）、サーチ制御部１５は、メインチューナ３ａおよびサブチューナ３ｂの各チューニングの実行順ｎを“＋１”加算する、すなわちチューニング周波数設定をそれぞれ１ステップ進めて（ステップＳＴ１３）、ステップＳＴ１の処理に戻りサーチを続ける。
【００３８】
サーチ対象の周波数帯域における全周波数でスキャンが終了していれば（ステップＳＴ１２；ＹＥＳ）、表示制御部１６が、外部記憶装置９に保存している放送局リストを表示部８に表示させ（ステップＳＴ１４）、放送局サーチを終了する。
【００３９】
次に、図５に示す電波状況を例に挙げて本発明の具体的な態様を説明する。
図５において、ＨＤラジオ放送局は、周波数８８．１ＭＨｚであり、便宜上、８９．１ＭＨｚ以上の周波数は放送局がないものとする。また、図５に示す各周波数の電波状況を示す各ディテクタ値（電界強度、ノイズ値）は、図６に示す通りである。
放送局サーチは、例えばメインチューナ３ａで現在聴取中の周波数から開始される。
ここでは、メインチューナ３ａが８７．７ＭＨｚ、サブチューナ３ｂが８７．９ＭＨｚからチューニングを開始する。
【００４０】
（Ａ）１回目のチューニング
１回目のチューニングにおいて、メインチューナ３ａは８７．７ＭＨｚ、サブチューナ３ｂは８７．９ＭＨｚにチューニングし（ステップＳＴ１）、その電波状況を示す上記ディテクタ値が電波状況検出部４により検出され、外部記憶装置９に保存される（ステップＳＴ２）。図６の例では、８７．７ＭＨｚでは、電界強度（１５ｄＢ）が低く、ノイズ値（４０％）も高いため、受信可能な放送局ではないと判断され（ステップＳＴ３）、その情報が外部記憶装置９に保存される（ステップＳＴ４）。この後、全周波数のスキャンが終了していないので、次の周波数にチューニングされる（ステップＳＴ１３）。
【００４１】
（Ｂ）２回目のチューニング
２回目のチューニングにおいて、メインチューナ３ａは８７．９ＭＨｚ、サブチューナ３ｂは８８．１ＭＨｚにチューニングし（ステップＳＴ１）、その電波状況を示す上記ディテクタ値が電波状況検出部４により検出され、外部記憶装置９に保存される（ステップＳＴ２）。ＨＤラジオ放送の周波数帯域の中心に位置するアナログ放送のキャリア周波数（８８．１ＭＨｚ）に対称に隣接するそれぞれのディジタル変調帯の周波数（８７．９ＭＨｚ、８８．３ＭＨｚ）は、電界強度は高いが、ノイズ値が高くなる。このため、８７．９ＭＨｚは受信可能な放送局ではないと判断され（ステップＳＴ３）、その情報が外部記憶装置９に保存される（ステップＳＴ４）。ここでも全周波数のスキャンが終了していないので、次の周波数にチューニングされる（ステップＳＴ１３）。
【００４２】
（Ｃ）３回目のチューニング
３回目のチューニングにおいて、メインチューナ３ａは８８．１ＭＨｚ、サブチューナ３ｂは８８．３ＭＨｚにチューニングし（ステップＳＴ１）、その電波状況を示す上記ディテクタ値が電波状況検出部４により検出され、外部記憶装置９に保存される（ステップＳＴ２）。８８．１ＭＨｚでは、電界強度（６０ｄＢ）が高く、ノイズ値（５％）も低いことから、受信可能な放送局と判断される（ステップＳＴ３）。
ステップＳＴ５の判定では、図６に示すように、８８．１ＭＨｚ（メイン）と８８．３ＭＨｚ（サブ）との各電界強度（５０ｄＢ（サブ）−６０ｄＢ（メイン））の差が−１０ｄＢとなる。
ステップＳＴ７において、２回目のチューニングのメインチューナ３ａおよびサブチューナ３ｂのチューニング周波数（８７．９ＭＨｚ、８８．１ＭＨｚ）の各電波状況を示す上記ディテクタ値が外部記憶装置９から呼び出される。
この後、ステップＳＴ８の判定で、メインチューナ３ａとサブチューナ３ｂの２回目のチューニングで受信された電波の電界強度レベル差（６０ｄＢ（サブ）−５０ｄＢ（メイン））が、図６に示すように１０ｄＢとなるため、３回目のチューニング周波数８８．１ＭＨｚはＨＤラジオ放送局の可能性が高いと判断され、ステップＳＴ９でＳＩＳデータの受信処理が行われる。図５に示す例では、８８．１ＭＨｚをＨＤラジオ放送局としているため、ＳＩＳデータが受信可能である。このため、８８．１ＭＨｚは、ＨＤラジオ放送局であるとして放送局リストに追加され、外部記憶装置９に保存される（ステップＳＴ１１）。この後、全周波数のスキャンが終了していないので、次の周波数にチューニングされる（ステップＳＴ１３）。
【００４３】
（Ｄ）４回目のチューニング
４回目のチューニングにおいて、メインチューナ３ａは８８．３ＭＨｚ、サブチューナ３ｂは８８．５ＭＨｚにチューニングし（ステップＳＴ１）、その電波状況を示す上記ディテクタ値が電波状況検出部４により検出され、外部記憶装置９に保存される（ステップＳＴ２）。８７．９ＭＨｚと同様に、８８．３ＭＨｚは、ＨＤラジオ放送の周波数帯域の中心に位置するアナログ放送のキャリア周波数（８８．１ＭＨｚ）に対称に隣接するディジタル変調帯であるため、電界強度（５０ｄＢ）は高いが、ノイズ値（４５％）も高い。このため、受信可能な放送局ではないと判断され（ステップＳＴ３）、その情報が外部記憶装置に保存される（ステップＳＴ４）。全周波数のスキャンが終了していないので、次の周波数にチューニングされる（ステップＳＴ１３）。
【００４４】
（Ｅ）５回目のチューニング
５回目のチューニングにおいて、メインチューナ３ａは８８．５ＭＨｚ、サブチューナ３ｂは８８．７ＭＨｚにチューニングし（ステップＳＴ１）、その電波状況を示す上記ディテクタ値が電波状況検出部４により検出され、外部記憶装置９に保存される（ステップＳＴ２）。８８．５ＭＨｚでは、電界強度（４０ｄＢ）が高く、ノイズ値（１０％）も低いことから受信可能な放送局と判断され（ステップＳＴ３）、ステップＳＴ５の判定が行われる。ここで、サブチューナ３ｂの周波数８８．７ＭＨｚとの電界強度レベル差（４０ｄＢ（サブ）−１０ｄＢ（メイン））が１０ｄＢではない。このため、８８．５ＭＨｚはアナログ放送局と判断されて外部記憶装置９に保存される（ステップＳＴ６）。全周波数のスキャンが終了していないので、次の周波数にチューニングされる（ステップＳＴ１３）。
【００４５】
（Ｆ）６回目のチューニング
６回目のチューニングにおいて、メインチューナ３ａは８８．７ＭＨｚ、サブチューナ３ｂは８８．９ＭＨｚにチューニングし（ステップＳＴ１）、その電波状況を示す上記ディテクタ値が電波状況検出部４により検出され、外部記憶装置９に保存される（ステップＳＴ２）。ここで、８８．７ＭＨｚの電界強度（１０ｄＢ）は低く、ノイズ値（５２％）も高いため、１回目のチューニングの結果と同様な処理となる。
【００４６】
（Ｇ）７回目のチューニング
７回目のチューニングにおいて、メインチューナ３ａは８８．９ＭＨｚ、サブチューナ３ｂは８９．１ＭＨｚにチューニングし（ステップＳＴ１）、その電波状況を示す上記ディテクタ値が電波状況検出部４により検出され、外部記憶装置９に保存される（ステップＳＴ２）。ここで、８８．９ＭＨｚの電界強度（３０ｄＢ）は高く、ノイズ値（１５％）も低いため、５回目のチューニングの結果と同様な処理が実施され、８８．９ＭＨｚがアナログ放送局として外部記憶装置９に保存される（ステップＳＴ６）。
【００４７】
以降、同様の処理を実施して、全周波数のスキャンが終了した時点で外部記憶装置９に保存してある放送局リストが表示部８に表示される。今回の例では、８９．１ＭＨｚ以上の周波数は放送局がないとしているため、放送局として、図７に示すように３局（ＨＤラジオ放送が１局、アナログ放送が２局）が表示部８に表示される。上述した放送局サーチ方法による各ステップでの各周波数に対する判定結果は、図８に示す通りである。
【００４８】
上記実施の形態１に係る放送局サーチ方法を用いることで、特許文献１のサーチ方法と比較して、ＨＤラジオ放送１局につき、少なくともチューニング１回分の時間短縮が見込まれる。つまり、特許文献１のサーチ方法では、図９（ａ）に示すように、（ａ）８８．１ＭＨｚにチューニング、（ｂ）２００ｋＨｚにシークアップ、周波数オフセット測定、（ｃ）元の周波数（８８．１ＭＨｚ）にリチューニングし、受信データのデコードによりＳＩＳデータが取得できればＨＤラジオ放送局に確定、という（ａ）、（ｂ）、（ｃ）の３つのステップが必要である。
【００４９】
これに対して、実施の形態１では、図９（ｂ）に示すように、（Ａ）メインチューナ３ａで８７．９ＭＨｚ、サブチューナ３ｂで８８．１ＭＨｚに周波数チューニング、（Ｂ）次のステップの周波数である、メインチューナ３ａを８８．１ＭＨｚにチューニングし、サブチューナ３ｂを８８．３ＭＨｚにチューニングして、メインチューナ３ａの８８．１ＭＨｚのＳＩＳデータが取得できれば、ＨＤラジオ放送局に確定するという２ステップでよい。これは、例えばＨＤラジオ放送局が３０局あり、１回のチューニング動作（ディテクタ値の取得も含む）に５０ミリ秒かかると仮定すると、上記実施の形態１に係る放送局サーチ方法によって、サーチ時間を約１．５秒短縮することができる。
【００５０】
また、上記説明ではＦＭハイブリッド放送を例に挙げたが、この発明は、図３（ｂ）に示したＡＭハイブリッド放送にも適用可能である。すなわち、図１０に示すように、２つのチューナ３ａ，３ｂのチューニング周波数のオフセット周波数Δｆと、アナログ放送とディジタル放送の電界強度レベル差Ｘを適当な値に設定することで、ＦＭハイブリッド放送と同様のサーチ方法が適用可能である。ＡＭハイブリッド放送の場合、例えばΔｆを１０ｋＨｚ、Ｘ＝１０ｄＢとすればよい。
【００５１】
以上のように、この実施の形態１によれば、サーチ対象の周波数帯域のチューニング周波数が順次設定されて電波を受信するメインチューナ３ａと、メインチューナ３ａに設定されたチューニング周波数を、中心周波数と当該中心周波数に関して対称に隣接する周波数帯との周波数差Δｆだけオフセットしたチューニング周波数が順次設定されて電波を受信するサブチューナ３ｂと、チューナ３ａ，３ｂにより受信された各電波の電界強度レベル差が所定の値であるか否かを判定する電波状況判定部１１と、電波状況判定部１１による判定結果に基づいて、チューナ３ａ，３ｂにより受信された電波の周波数から、放送局の周波数を判別するサーチ制御部１５とを備える。このように構成することにより、放送周波数帯域の中心周波数に関して周波数スペクトラムが対称な放送局の放送局サーチに要する時間を短縮できる。
【００５２】
実施の形態２．
この実施の形態２では、上記実施の形態１で示したサーチ方法で、ＨＤラジオ放送局の可能性がある周波数を特定した時点で、その周波数をＨＤラジオ放送局の候補として外部記憶装置９に保存する。この後、上記候補となる周波数を、さらに１つ特定した時点で、外部記憶装置９に保存しておいた周波数と、新たに特定した周波数の放送局データとを、２つのチューナ３ａ，３ｂでそれぞれ受信する。
【００５３】
また、実施の形態２に係る放送受信機の基本的な構成は、上記実施の形態１と同様であるので、実施の形態２に係る放送受信機を、車両用のラジオ受信機、すなわち図１に示すラジオ受信機に適用した場合を例に挙げ、受信機の構成については図１を参照する。
【００５４】
次に動作について説明する。
図１１は、この発明の実施の形態２に係るラジオ受信機の動作を示すフローチャートである。この図１１は、図４に示したフローチャートにおける、ステップＳＴ１からステップＳＴ３まで、ステップＳＴ５、ステップＳＴ７、ステップＳＴ８の処理を、ＨＤラジオ放送局サーチシーケンスとして、その処理内容を具体的に示したものである。
【００５５】
サーチ制御部１５は、上記放送局サーチシーケンスでＨＤラジオ放送局の可能性がある周波数が特定すると、カウンタｋの値を初期化（ｋ＝０）する（ステップＳＴ１ａ）。
次に、サーチ制御部１５は、ＨＤラジオ放送局サーチシーケンスを実施し、ＨＤラジオ放送局の可能性のある周波数を特定すると、当該周波数およびこの周波数がＨＤラジオ放送局である旨を示す情報を外部記憶装置９に保存する。このとき、カウンタｋの値を１つインクリメントする（ｋ＝ｋ＋１）（ステップＳＴ２ａ）。
【００５６】
この後、サーチ制御部１５は、放送局サーチシーケンスにおいて、カウンタｋが“２”であるか否か、すなわちＨＤラジオ放送局の可能性がある周波数が２つ特定されたか否かを判定する（ステップＳＴ３ａ）。
このとき、カウンタｋが“２”、すなわちＨＤラジオ放送局の可能性がある周波数が２つ特定されていた場合（ステップＳＴ３ａ；ＹＥＳ）、サーチ制御部１５は、メインチューナ受信周波数設定部１０およびサブチューナ受信周波数設定部１２に対して、ＨＤラジオ放送局の可能性がある２つの周波数を、メインチューナ３ａおよびサブチューナ３ｂにそれぞれチューニングしてそれらの放送波を受信するよう制御するとともに、データ受信制御部１３に対して、メインチューナ３ａおよびサブチューナ３ｂのＳＩＳデータを取得するよう指示する。
【００５７】
メインチューナ受信周波数設定部１０は、サーチ制御部１５からの上記指示に従って、ＨＤラジオ放送局の可能性がある２つの周波数の一方をメインチューナ３ａに設定する。また、サブチューナ受信周波数設定部１２も、サーチ制御部１５の上記指示に従い、ＨＤラジオ放送局の可能性がある２つの周波数のもう一方をサブチューナ３ｂに設定する。
これにより、メインチューナ３ａおよびサブチューナ３ｂは、ＳＩＳデータを含む可能性がある周波数の電波をそれぞれ受信する。
【００５８】
次に、データ受信制御部１３は、サーチ制御部１５からの上記指示に従って、デコーダ部５の動作を制御することで、メインチューナ３ａおよびサブチューナ３ｂの周波数のＳＩＳデータを取得できたか否か、すなわちＳＩＳデータが受信可能か否かを判定する。
【００５９】
上記２つの周波数のＳＩＳデータが受信できない場合、データ受信制御部１３が、当該２つの周波数がアナログ放送局であると判断し、その旨を放送局リスト作成部１４に通知する。放送局リスト作成部１４は、当該２つの周波数がアナログ放送局であることを示す通知に従い、当該２つの周波数をそれぞれアナログ放送局として放送局リストに追加し、この放送局リストを外部記憶装置９に保存する。
【００６０】
また、上記２つの周波数のＳＩＳデータが取得された場合、当該２つの周波数がＨＤラジオ放送局であるため、デコーダ部５が、当該２つの周波数がＨＤラジオ放送局であることを放送局リスト作成部１４に通知する。放送局リスト作成部１４は、デコーダ部５から上記通知を受けると、当該２つの周波数をＨＤラジオ放送局として放送局リストに追加し、この放送局リストを外部記憶装置９に保存する。このとき、サーチ制御部１５は、カウンタｋの値を初期化（ｋ＝０）する（ステップＳＴ４ａ）。
【００６１】
カウンタｋの値が“２”ではない、すなわちＨＤラジオ放送局の可能性がある周波数が２つ特定されていない場合（ステップＳＴ３ａ；ＮＯ）、もしくは上記ステップＳＴ４ａの処理が完了すると、サーチ制御部１５は、サーチ対象の周波数帯域における全周波数でスキャンが終了したか否かを判定する（ステップＳＴ５ａ）。
このとき、全周波数でスキャンが終了していなければ（ステップＳＴ５ａ；ＮＯ）、サーチ制御部１５は、メインチューナ３ａおよびサブチューナ３ｂの各チューニングの実行順ｎを“＋１”加算する、すなわちチューニング周波数設定をそれぞれ１ステップ進めて（ステップＳＴ６ａ）、ステップＳＴ２ａの処理に戻ってＨＤラジオ放送局サーチシーケンスを続ける。
【００６２】
一方、サーチ対象の周波数帯域における全周波数でスキャンが終了していれば（ステップＳＴ５ａ；ＹＥＳ）、サーチ制御部１５は、カウンタｋの値が“０”以上（ｋ＞０）であれば、メインチューナ受信周波数設定部１０に対して、全周波数でスキャンが終了した時点で１つだけ特定されていたＨＤラジオ放送局の可能性がある周波数を、メインチューナ３ａにそれぞれチューニングしてその放送波を受信するよう制御するとともに、データ受信制御部１３に対してメインチューナ３ａのＳＩＳデータを取得するよう指示する。
メインチューナ受信周波数設定部１０は、サーチ制御部１５からの上記指示に従って、ＨＤラジオ放送局の可能性がある周波数をメインチューナ３ａに設定する。これにより、メインチューナ３ａは、ＳＩＳデータを含む可能性がある上記周波数の電波を受信する。
【００６３】
次に、データ受信制御部１３は、サーチ制御部１５からの上記指示に従って、デコーダ部５の動作を制御することで、メインチューナ３ａのＳＩＳデータを取得できたか否か、すなわちＳＩＳデータが受信可能か否かを判定する。上記周波数でＳＩＳデータが取得できない場合、データ受信制御部１３が、当該周波数がアナログ放送局であると判断してその旨を放送局リスト作成部１４に通知する。放送局リスト作成部１４は、上記周波数がアナログ放送局であることを示す通知を受けると、当該周波数をそれぞれアナログ放送局として放送局リストに追加して、この放送局リストを外部記憶装置９に保存する。
【００６４】
また、上記周波数でＳＩＳデータが取得された場合、当該周波数がＨＤラジオ放送局であるため、デコーダ部５が、当該周波数がＨＤラジオ放送局であることを放送局リスト作成部１４に通知する。放送局リスト作成部１４は、デコーダ部５から上記通知を受けると、当該周波数をＨＤラジオ放送局として放送局リストに追加し、この放送局リストを外部記憶装置９に保存する。ここまでの処理がステップＳＴ７ａに相当する。
【００６５】
この後、表示制御部１６が、外部記憶装置９に保存している放送局リストを表示部８に表示させ（ステップＳＴ８ａ）、放送局サーチを終了する。
【００６６】
以上のように、この実施の形態２によれば、サーチ制御部１５が、サーチ対象の放送局の周波数を判別した後に、さらに新たな周波数を当該サーチ対象の放送局の周波数と判別すると、一方の周波数をチューニング周波数としてメインチューナ３ａに設定し、もう一方の周波数をチューニング周波数としてサブチューナ３ｂに設定してチューナ３ａ，３ｂにより双方の周波数の放送局データを受信させる。このように、ＨＤラジオ放送局の可能性がある周波数が２つ特定された段階で、チューナ３ａ，３ｂによって当該２つの周波数のＳＩＳデータ受信を実施するので、上記実施の形態１の方法と比較して、ＳＩＳデータ取得時間を半分に短縮することができる。
【００６７】
また、上記実施の形態１、２では、放送局サーチを行うチューナがメインチューナ３ａおよびサブチューナ３ｂの組が１つである場合を示したが、メインチューナ３ａおよびサブチューナ３ｂの組を２つ以上用いてもよい。この場合においても、放送局サーチにあたり、各チューナの組で特定の周波数だけオフセットさせれば、上記と同様な放送局サーチを行うことができる。
【００６８】
さらに、上記実施の形態１、２では、本発明に係る放送局サーチ方法をＨＤラジオ放送局のサーチに適用した場合を示したが、放送周波数帯域の中心周波数に関して周波数スペクトラムが対称な放送局であれば、ラジオ放送に限らず、テレビ放送であっても適用することが可能である。また、上記実施の形態１、２では、本発明に係る放送受信機を車載用ラジオ受信機に適用した場合を示したが、放送受信機能を有する携帯端末においても適用可能である。
【００６９】
なお、本発明はその発明の範囲内において、各実施の形態の自由な組み合わせ、あるいは各実施の形態の任意の構成要素の変形、もしくは各実施の形態において任意の構成要素の省略が可能である。
【産業上の利用可能性】
【００７０】
この発明に係る放送受信機は、ＨＤラジオ放送などの放送局サーチに要する時間を短縮できるので、車両の走行により周囲の電波状況が変化しやすい車載用ラジオ受信機に好適である。
【符号の説明】
【００７１】
１  ラジオ受信機、２ａ  メインアンテナ、２ｂ  サブアンテナ、３ａ  メインチューナ、３ｂ  サブチューナ、４  電波状況検出部、５  デコーダ部、６  操作部、７  演算制御部、８  表示部、９  外部記憶装置、１０  メインチューナ受信周波数設定部、１１  電波状況判定部、１２  サブチューナ受信周波数設定部、１３  データ受信制御部、１４  放送局リスト作成部、１５  サーチ制御部、１６  表示制御部。
【図１】
2013118163.tif 000003
【図２】
2013118163.tif 000004
【図３】
2013118163.tif 000005
【図４】
2013118163.tif 000006
【図５】
2013118163.tif 000007
【図６】
2013118163.tif 000008
【図７】
2013118163.tif 000009
【図８】
2013118163.tif 000010
【図９】
2013118163.tif 000011
【図１０】
2013118163.tif 000012
【図１１】
2013118163.tif 000013
【手続補正書】
【提出日】平成27年2月13日(2015.2.13)
【手続補正１】
【補正対象書類名】明細書
【補正対象項目名】０００７
【補正方法】変更
【補正の内容】
【０００７】
この発明に係る放送受信機は、放送周波数帯域の中心周波数に関して周波数スペクトラムが対称であり、中心周波数の電界強度レベルと当該中心周波数に関して対称に隣接する周波数帯の電界強度レベルとの差が所定の値となる放送の放送局サーチを行う放送受信機において、サーチ対象の周波数帯域のチューニング周波数が順次設定されて電波を受信する第１のチューナと、第１のチューナに設定されたチューニング周波数を、中心周波数と当該中心周波数に関して対称に隣接する周波数帯との周波数差だけオフセットしたチューニング周波数が順次設定されて電波を受信する第２のチューナと、第１および第２のチューナにより受信された各電波の電界強度レベル差が所定の値であるか否かを判定する電波状況判定部と、電波状況判定部による判定結果に基づいて、第１および第２のチューナにより受信された電波の周波数から、放送局の周波数を判別するサーチ制御部とを備え、サーチ制御部は、サーチ対象の放送局の周波数を判別した後に、さらに新たな周波数を当該サーチ対象の放送局の周波数と判別すると、一方の周波数をチューニング周波数として第１のチューナに設定し、もう一方の周波数をチューニング周波数として第２のチューナに設定して、第１および第２のチューナにより双方の周波数の放送局データを受信させることを特徴とする。
【手続補正２】
【補正対象書類名】特許請求の範囲
【補正対象項目名】全文
【補正方法】変更
【補正の内容】
【特許請求の範囲】
【請求項１】
放送周波数帯域の中心周波数に関して周波数スペクトラムが対称であり、前記中心周波数の電界強度レベルと当該中心周波数に関して対称に隣接する周波数帯の電界強度レベルとの差が所定の値となる放送の放送局サーチを行う放送受信機において、
サーチ対象の周波数帯域のチューニング周波数が順次設定されて電波を受信する第１のチューナと、
前記第１のチューナに設定されたチューニング周波数を、前記中心周波数と当該中心周波数に関して対称に隣接する前記周波数帯との周波数差だけオフセットしたチューニング周波数が順次設定されて電波を受信する第２のチューナと、
前記第１および前記第２のチューナにより受信された各電波の電界強度レベル差が前記所定の値であるか否かを判定する電波状況判定部と、
前記電波状況判定部による判定結果に基づいて、前記第１および前記第２のチューナにより受信された電波の周波数から、前記放送局の周波数を判別するサーチ制御部とを備え、
前記サーチ制御部は、サーチ対象の前記放送局の周波数を判別した後に、さらに新たな周波数を当該サーチ対象の放送局の周波数と判別すると、一方の周波数をチューニング周波数として前記第１のチューナに設定し、もう一方の周波数をチューニング周波数として前記第２のチューナに設定して、前記第１および前記第２のチューナにより双方の周波数の放送局データを受信させることを特徴とする放送受信機。
【請求項２】
前記放送は、ＨＤ（Ｈｉｇｈ  Ｄｅｆｉｎｉｔｉｏｎ）ラジオ放送であることを特徴とする請求項１記載の放送受信機。
【請求項３】
放送周波数帯域の中心周波数に関して周波数スペクトラムが対称であり、前記中心周波数の電界強度レベルと当該中心周波数に関して対称に隣接する周波数帯の電界強度レベルとの差が所定の値となる放送波の放送局サーチ方法において、
サーチ対象の周波数帯域のチューニング周波数を第１のチューナに順次設定して電波を受信するステップと、
前記第１のチューナに設定されたチューニング周波数を、前記中心周波数と当該中心周波数に関して対称に隣接する前記周波数帯との周波数差だけオフセットしたチューニング周波数を第２のチューナに順次設定して電波を受信するステップと、
前記第１および前記第２のチューナにより受信された各電波の電界強度レベル差が前記所定の値であるか否かを判定するステップと、
前記判定結果に基づいて、前記第１および前記第２のチューナにより受信された電波の周波数から、サーチ対象の前記放送局の周波数を判別した後に、さらに新たな周波数を当該サーチ対象の放送局の周波数と判別すると、一方の周波数をチューニング周波数として前記第１のチューナに設定し、もう一方の周波数をチューニング周波数として前記第２のチューナに設定して、前記第１および前記第２のチューナにより双方の周波数の放送局データを受信させるステップとを備えることを特徴とする放送局サーチ方法。
【国際調査報告】
2013118163.tif 000014
2013118163.tif 000015